(57)【要約】【課題】電気機器間を２本の電線で接続し、当該２本の電線で電源供給と信号通信を同時に行なう通信システムとして、簡単な回路構成で、かつ、細い電線を用いて実現する。【解決手段】電気機器間を２本の電線を用いて接続し、直流電力の供給と信号通信とを、直流電力に２値信号を重畳することにより行なう。電気機器のそれぞれは、信号通信のための通信用回路を備える。通信用回路の送信信号の出力端は、２値信号のハイレベルおよびローレベルに対応する第１および第２の電圧の状態と、高インピーダンスの状態との３つの状態を持つ。通信用回路の送信信号の出力端は、２本の電線のうちの一方と、抵抗および容量の並列回路を介して接続される。電力供給を受ける側の電気機器には、受信した直流電力の電圧を、自機用の電源電圧に変換するＤＣ−ＤＣコンバータを備える。２本の電線を通じて送られる直流電力の電圧は、第１の電圧と第２の電圧との平均値とされる。【選択図】図１
2006352396.tif 000002
【特許請求の範囲】
【請求項１】
電気機器間を２本の電線を用いて接続し、直流電力の供給と信号通信とを、前記直流電力にハイレベルとローレベルとからなる２値信号を重畳することにより、前記２本の電線を通じて行なうようにする通信システムであって、
前記電気機器のそれぞれは、前記信号通信のための通信用回路を備えると共に、前記通信用回路の送信信号の出力端は、前記２値信号のハイレベルに対応する第１の電圧の状態と、前記２値信号のローレベルに対応する第２の電圧の状態と、高インピーダンスの状態との３つの状態を持つようにされ、かつ、前記通信用回路の送信信号の出力端は、前記２本の電線のうちの一方の電線と、抵抗および容量の並列回路を介して接続され、
前記電力供給を受ける側の電気機器には、前記２本の電線を通じて供給されてきた前記直流電力の電圧を、自機用の電源電圧に変換するＤＣ−ＤＣコンバータを備え、
前記２本の電線を通じて送られる前記直流電力の電圧は、前記第１の電圧と前記第２の電圧との平均値とされてなる
ことを特徴とする通信システム。
【請求項２】
請求項１に記載の通信システムにおいて、
前記電線に直流電力を供給する側の電気機器は、前記直流電力の電圧を前記第１の電圧と前記第２の電圧との平均値として出力するための第２のＤＣ−ＤＣコンバータを備える
ことを特徴とする通信システム。
【請求項３】
請求項１に記載の通信システムにおいて、
前記２本の電線を通じて送られる前記直流電力の電圧は、前記第１の電圧と前記第２の電圧との平均値に代えて、前記通信用回路の受信信号の入力側に設けられる前記２値信号を得るための閾値電圧とされる
ことを特徴とする通信システム。
【請求項４】
他の電気機器と２本の電線により接続され、前記他の電気機器から直流電力の供給を受けると共に、前記直流電力にハイレベルとローレベルとからなる２値信号を重畳することにより、前記２本の電線を通じて前記他の電気機器と信号通信を行なうようにする電気機器であって、
前記２本の電線を通じて供給されてきた前記直流電力の電圧を、自機用の電源電圧に変換するＤＣ−ＤＣコンバータと、前記信号通信のための通信用回路とを備えると共に、
前記通信用回路の送信信号の出力端は、前記２値信号のハイレベルに対応する第１の電圧の状態と、前記２値信号のローレベルに対応する第２の電圧の状態と、高インピーダンスの状態との３つの状態を持つようにされ、かつ、前記通信用回路の送信信号の出力端は、前記２本の電線のうちの一方の電線と、抵抗および容量の並列回路を介して接続され、
前記２本の電線を通じて送られる前記直流電力の電圧は、前記第１の電圧と前記第２の電圧との平均値とされてなる
ことを特徴とする電気機器。
【請求項５】
請求項４に記載の電気機器において、
前記２本の電線を通じて送られる前記直流電力の電圧は、前記第１の電圧と前記第２の電圧との平均値に代えて、前記通信用回路の受信信号の入力側に設けられる前記２値信号を得るための閾値電圧とされる
ことを特徴とする電気機器。
【請求項６】
他の電気機器と２本の電線により接続され、前記他の電気機器に直流電力を供給すると共に、前記直流電力にハイレベルとローレベルとからなる２値信号を重畳することにより、前記２本の電線を通じて前記他の電気機器と信号通信を行なうようにする電気機器であって、
前記直流電力の電圧を前記第１の電圧と前記第２の電圧との平均値として出力するためのＤＣ−ＤＣコンバータと、前記信号通信のための通信用回路とを備えると共に、
前記通信用回路の送信信号の出力端は、前記２値信号のハイレベルに対応する第１の電圧の状態と、前記２値信号のローレベルに対応する第２の電圧の状態と、高インピーダンスの状態との３つの状態を持つようにされ、かつ、前記通信用回路の送信信号の出力端は、前記２本の電線のうちの一方の電線と、抵抗および容量の並列回路を介して接続される
ことを特徴とする電気機器。
【請求項７】
請求項６に記載の電気機器において、
前記２本の電線を通じて送られる前記直流電力の電圧は、前記第１の電圧と前記第２の電圧との平均値に代えて、前記通信用回路の受信信号の入力側に設けられる前記２値信号を得るための閾値電圧とされる
ことを特徴とする電気機器。
【発明の詳細な説明】
【技術分野】
【０００１】
この発明は、電気機器（この明細書では電気機器は、電子機器を含むものとする）間を２本の電線により接続し、直流電力の供給と信号通信とを、前記２本の電線を通じて行なうようにする通信システムおよびその通信システムに用いる電気機器に関する。
【背景技術】
【０００２】
セキュリテイの関心の高まりから、住戸においても監視カメラを家電ネットワークに接続するニーズが高まっている。この場合に、監視カメラシステムは、一般に、監視カメラと、監視カメラ制御装置とからなるものとして構成され、監視カメラの設置位置の自由度を確保するために、監視カメラは、ＡＣコンセントからの商用交流電源を電源として用いるのではなく、監視カメラ制御装置から電源電圧の供給も受けるようになっているものが多い。
【０００３】
したがって、監視カメラと監視カメラ制御装置との間では、電源電圧の供給線路と、監視カメラ制御装置から監視カメラへの遠隔制御信号や監視カメラから監視カメラ制御装置への画像データの伝送線路とが必要になる。これら電源電圧の供給線路と、遠隔制御信号や画像データの伝送線路として、それぞれ別々の電線、つまり、電源線と信号線とを用いることとすると、少なくとも４本の電線が必要になり、これらの電源線や信号線の布設の困難さが問題となる。
【０００４】
この問題を改善する方法として、例えば特許文献１（特開２００４−８８１５６公報）などでは、監視カメラと監視カメラ制御装置との間を電波などで接続する無線方式が検討されている。
【０００５】
しかし、この特許文献１のような無線方式の場合には、監視カメラの台数が多くなると、無線通信の管理の困難になるという問題が生じる。
【０００６】
そこで、監視カメラと監視カメラ制御装置との間を接続する電線の数を減らすことで、電線の敷設の困難さを改善する方式が提案され、電源線のみを用いて信号を伝送する電力線通信が注目されている。ただし、通常の家庭用の電源線通信では、商用交流電源の電源線に通信信号を重畳するものであるが、この場合には、ＡＣ電源線の断線時は、感電や火事の恐れがあるという問題があるので、その問題を回避する方式として、直流低電圧を電源線で伝送し、その電源線に信号を重畳する通信方法が検討されている。
【０００７】
この直流電源に通信信号を重畳する方式としては、例えば、特許文献２（特開平７−５０６１９号公報）や、特許文献３（特開２００４−１２０７４０公報）などに、車載装置といして検討された例がある。
【０００８】
上記の先行技術文献は、次の通りである。
【特許文献１】特開２００４−８８１５６公報
【特許文献２】特開平７−５０６１９号公報
【特許文献３】特開２００４−１２０７４０公報
【発明の開示】
【発明が解決しようとする課題】
【０００９】
しかし、上記の特許文献２，３の先行技術は、車載装置における例であり、家電製品への応用を考えると、より電線（信号線）を細くすることができるようにすることや、回路構成を簡素化することが必要であった。
【００１０】
この発明は、電気機器間を２本の電線で接続し、当該２本の電線で電源供給と信号通信を同時に行なう通信システムとして、簡単な回路構成で、かつ、細い電線を用いて実現することができるようにすることを目的とする。
【課題を解決するための手段】
【００１１】
上記の課題を解決するために、この発明は、
電気機器間を２本の電線を用いて接続し、直流電力の供給と信号通信とを、前記直流電力にハイレベルとローレベルとからなる２値信号を重畳することにより、前記２本の電線を通じて行なうようにする通信システムであって、
前記電気機器のそれぞれは、前記信号通信のための通信用回路を備えると共に、前記通信用回路の送信信号の出力端は、前記２値信号のハイレベルに対応する第１の電圧の状態と、前記２値信号のローレベルに対応する第２の電圧の状態と、高インピーダンスの状態との３つの状態を持つようにされ、かつ、前記通信用回路の送信信号の出力端は、前記２本の電線のうちの一方の電線と、抵抗および容量の並列回路を介して接続され、
前記電力供給を受ける側の電気機器には、前記２本の電線を通じて供給されてきた前記直流電力の電圧を、自機用の電源電圧に変換するＤＣ−ＤＣコンバータを備え、
前記２本の電線を通じて送られる前記直流電力の電圧は、前記第１の電圧と前記第２の電圧との平均値とされてなる
ことを特徴とする通信システムを提供する。
【００１２】
上述の構成を備えるこの発明においては、２本の電線を通じて供給するのは、直流電力であり、通信しようとする２値信号のハイレベルに対応する第１の電圧と、ローレベルに対応する第２の電圧との平均値を伝送するようにするので、電線として細いものを使用することができる。
【００１３】
また、２本の電線を通じて伝送する直流電力の電圧を通信しようとする２値信号のハイレベルに対応する第１の電圧と、ローレベルに対応する第２の電圧との平均値とすると共に、通信用回路としてスリーステートの送信信号の出力端を備える構成とすることで、無信号状態が続いた後のバースト信号に迅速に対応することができる。
【００１４】
また、電力供給を受ける側の電気機器は、ＤＣ−ＤＣコンバータを備えるので、直流電力に重畳された信号を取り除いて、負荷に対して安定した電源供給を行なえると共に、機器の電圧仕様に関わらず、直流電力の電圧の値や電流値を自由に設定することが容易になる。
【発明の効果】
【００１５】
この発明によれば、２本の電線で電気機器間における電源供給と信号通信を同時に行なう通信システムとして、簡単な回路構成で、かつ、細い電線を用いて実現することができる。
【００１６】
また、この発明によれば、電源線を用いた信号通信として、無信号状態が続いた後のバースト信号に迅速に対応することができるという効果もある。
【００１７】
また、電力供給を受ける側の電気機器は、ＤＣ−ＤＣコンバータを備えるので、負荷に対して、重畳した信号を取り除いて安定した電源電圧を供給することができると共に、機器の電圧仕様に関わらず、直流電力の電圧の値や電流値を自由に設定することが容易になる。
【発明を実施するための最良の形態】
【００１８】
この発明による通信システムの実施形態を説明する前に、この発明による実施形態による通信システムの理解を容易にするために、この発明による通信システムの比較例について、先ず、説明する。
【００１９】
［この発明による通信システムの比較例］
図２は、この第１の比較例における電源供給および信号通信の部分を中心として示すブロック図である。
【００２０】
図２に示す例は、直流電力の供給側（給電側）の電気機器１と、この直流電力の供給を受ける被給電側の電気機器２とが、２本の電線３ａおよび３ｂにより接続される。そして、電気機器１と電子機器２の間で、この２本の電線３ａ，３ｂを通じて直流電力と、この直流電力に重畳された通信しようとする信号とが伝送される。この例では、重畳される信号は、ハイレベルとローレベルとからなる２値信号とされる。
【００２１】
この図２の実施形態においては、例えば、給電側の電気機器１は監視カメラ制御装置、被給電側の電気機器２は監視カメラとされ、監視カメラ制御装置１からは監視カメラ２に対して遠隔制御信号が２本の電線３ａ，３ｂを通じて供給され、監視カメラ２からは、撮像画像信号が監視カメラ制御装置１に対して２本の電線３ａ，３ｂを通じて供給される。
【００２２】
給電側の電気機器１は、電源供給回路１１と、通信用回路の例としての送受信ロジック回路１２と、信号処理部１３と、図示を省略したその他回路からなっている。
【００２３】
電源供給回路１１は、例えば商用交流電源から直流電源電圧＋Ｂを生成し、当該直流電源電圧＋Ｂを、送受信ロジック回路１２、信号処理部１３およびその他回路に供給すると共に、高周波阻止用のチョークコイル１４を通じて、２本の電線３ａ、３ｂ間に送出する。この例では、電線３ａは電源供給回路１１の電圧＋Ｂの出力端とチョークコイル１４を通じて接続されており、電線３ｂは共通接地端に接続されている。
【００２４】
そして、チョークコイル１４と電線３ａとの接続点は、直流阻止用の容量素子としてのコンデンサ１５を通じて送受信ロジック回路１２の入出力端に接続されている。また、送受信ロジック回路１２に対しては信号処理部１３に接続されている。
【００２５】
そして、信号処理部１３から監視カメラの遠隔制御信号が、送受信ロジック回路１２に供給されて、直流電力の電圧に重畳する２値信号とされ、増幅されて、コンデンサ１５を通じて電線３ａに送出される。
【００２６】
また、電線３ａを通じて電気機器２から送られてきた受信信号（撮像画像信号）は、コンデンサ１５を通じて送受信ロジック回路１２に入力される。送受信ロジック回路１２においては、受信信号は、増幅された後、この例では、入力デジタルインターフェース回路において２値信号に戻され、信号処理部１３に供給される。
【００２７】
信号処理部１３では、この信号がデコード処理などの所定の信号処理がなされ、その信号処理後の信号は、例えば表示制御部を通じてディスプレイに供給されて、当該ディスプレイ画面に監視カメラの撮像画像が再生されて表示されるようにされる。
【００２８】
被給電側の電気機器２は、ＤＣ−ＤＣコンバータ２１と、負荷回路２２と、通信用回路の例としての送受信ロジック回路２３と、信号処理部２４と、図示を省略したその他回路からなっている。電線３ａはＤＣ−ＤＣコンバータ２１の入力端に接続されると共に、直流素子用のコンデンサ２５を通じて送受信ロジック回路２３の入出力端に接続される。また、電線３ｂは、この電気機器２側の共通接地端に接続される。
【００２９】
ＤＣ−ＤＣコンバータ２１は、電気機器１から送られてくる直流電力の電圧を、電気機器２の電源電圧＋Ｂｓに変換して出力する。このＤＣ−ＤＣコンバータ２１からの電源電圧＋Ｂｓは、負荷回路２２、送受信ロジック回路２３、信号処理部２４およびその他回路に供給される。負荷回路２２は、この例の監視カメラにおいては、撮像回路および撮像カメラの撮像方位やズームなどの変更制御を行なうカメラ駆動制御回路などからなる。
【００３０】
そして、この例では、負荷回路２２の撮像回路を通じて出力される撮像画像信号は、信号処理部２４で所定の信号処理がなされた後、送受信ロジック回路２３で送信する２値信号にされ、増幅された後、コンデンサ２５を通じて電線３ａに送出され、電気機器１側に伝送される。
【００３１】
また、電気機器１から送られてきた受信信号（監視カメラの遠隔制御信号）は、コンデンサ２５を通じて送受信ロジック回路２３に入力される。送受信ロジック回路２３においては、受信信号は、増幅された後、この例では、入力デジタルインターフェース回路において２値信号に戻され、信号処理部２４に供給される。
【００３２】
信号処理部２４では、この信号がデコード処理などの所定の信号処理がなされ、その信号処理後の信号は、負荷回路２２の例えばカメラ駆動制御回路に供給されて、遠隔制御信号により指示される処理内容に応じて、撮像カメラの撮像方位やズームなどの変更制御がなされる。
【００３３】
この図２の通信システム例によれば、電気機器１，２間において、２本の電線３ａ，３ｂを用いて、直流電力を伝送することができると共に、信号伝送をすることができる。そして、この図２の例においては、被給電側の電気機器２では、ＤＣ−ＤＣコンバータ２１が設けられているので、当該電気機器２での電源電圧を、電線３ａ，３ｂを通じて送られてきた直流電力の電圧から生成することができる。
【００３４】
また、このＤＣ−ＤＣコンバータ２１は、電線３ａ，３ｂを通じて送られてきた直流電力に重畳された信号を取り除いて、負荷回路２２、その他の回路部へ安定した電源電圧の供給をすることができる。
【００３５】
この図２の例における直流電力に対する信号の重畳について、図３を参照しながら説明する。この例では、重畳する信号は、ハイレベルとローレベルとからなる２値信号とされる場合である。
【００３６】
すなわち、この図２の例においては、図３（Ａ）に示すように、信号が重畳されないときには、電線３ａ，３ｂ間の電圧は、電源供給回路１１の出力電源電圧となる。そして、２値信号が重畳されると、電線３ａ，３ｂ間の電圧は、２値信号のローレベルが電源供給回路１１の出力電源電圧となり、ハイレベルでは、電源供給回路１１の出力電源電圧に対して、所定の高い電圧となる。
【００３７】
送受信ロジック回路１２および２３の入力デジタルインターフェース回路では、受信信号について、しきい値電圧と比較することにより、２値信号を再生するようにする。しかし、図３（Ｂ）に示すように、受信信号は、初期的には、しきい値電圧よりもローレベルの信号も高電圧であり、図３（Ｂ）のように所定時間後に安定に２値判定ができるようになる。このため、バースト信号の立ち上がりの信号は実質的に通信信号としては用いることができないという問題がある。
【００３８】
また、信号通信が終了した後の送受信ロジック回路１２，２３の入出力端のインピーダンスが不定であるので、図３（Ｂ）に示すように、送信の最後の電圧が電源供給回路１１の出力電源電圧値に戻るまでに時間がかかり、このため、バースト的に次に信号を送出しようとするときに、この戻り時間を待たなければならないという問題がある。
【００３９】
このため、図２の例の構成では、無信号状態が続いた後でのバースト信号に迅速に対応することができないという問題がある。
【００４０】
［この発明による通信システムの実施形態］
この発明による通信システムの実施形態は、図２の例の問題点をも改善したものである。以下、この発明による通信システムの実施形態を、図１を参照しながら説明する。なお、図１において、図２の例と同一部分には、同一符号を付してその説明は省略する。
【００４１】
この実施形態では、給電側の電気機器（この例では、監視カメラ遠隔制御装置）１においては、電源供給回路１１の出力電源電圧＋Ｂは、ＤＣ−ＤＣコンバータ１６により所定の電圧Ｅに変換され、チョークコイル１４を通じて、電線３ａ，３ｂ間に送出される。
【００４２】
この例では、図４に示すように、電線３ａ，３ｂを通じて伝送する直流電力の電圧の値Ｅは、伝送する２値信号のハイレベルに対応する電圧ＶＨと、伝送する２値信号のローレベルに対応する電圧ＶＬの平均値、すなわち、
Ｅ＝（ＶＨ＋ＶＬ）／２
となるようにされる。
【００４３】
このＤＣ−ＤＣコンバータ１６の出力直流電圧の値Ｅは、後述する送受信ロジック回路１７および２６の入力デジタルインターフェース回路（図１では、図示を省略）では、受信信号を２値信号に戻すときのしきい値電圧に等しくされるのが好ましい。
【００４４】
そして、この実施形態の給電側の電気機器１においては、図２の例の送受信ロジック回路１２の代わりに、送受信ロジック回路１７が設けられる。この送受信ロジック回路１７は、受信アンプ１７１および送信アンプ１７２を含むが、少なくとも、送信アンプ１７２は、その出力として、ハイレベルの状態と、ローレベルの状態と、ハイインピーダンスの状態との３状態を備えるスリーステートバッファにより構成される。この例では、送受信ロジック回路１７が、スリーステートロジック回路により構成される。
【００４５】
そして、さらに、電気機器１では、電線３ａを通じて電気機器２から送られてくる信号がそのまま送受信ロジック回路１７の受信アンプ１７１の入力端に供給されると共に、送受信ロジック回路１７の送信アンプ１７２の出力信号は、コンデンサ１５を通じて電線３ａに送出されると共に、コンデンサ１５と並列に抵抗器１８が接続される。この抵抗器１８は、比較的高抵抗値のものとされる。
【００４６】
給電側の電気機器１のその他の構成は、図２の例と同様である。
【００４７】
一方、被給電側の電気機器２においては、図２の例の送受信ロジック回路２３の代わりに送受信ロジック回路２６が設けられる。この送受信ロジック回路２６は、受信アンプ２６１および送信アンプ２６２を含むが、少なくとも、送信アンプ２６２は、その出力として、ハイレベルの状態と、ローレベルの状態と、ハイインピーダンスの状態との３状態を備えるスリーステートバッファにより構成される。この例では、送受信ロジック回路２６が、スリーステートロジック回路により構成される。
【００４８】
そして、さらに、電気機器２では、電線３ａを通じて電気機器１から送られてくる信号がそのまま送受信ロジック回路２６の受信アンプ２６１の入力端に供給されると共に、送受信ロジック回路２６の送信アンプ２６２の出力信号は、コンデンサ２５を通じて電線３ａに送出されると共に、コンデンサ２５と並列に抵抗器２７が接続される。この抵抗器２７は、比較的高抵抗値のものとされる。
【００４９】
被給電側の電気機器２のその他の構成は、図２の例と同様である。
【００５０】
この図１の実施形態の通信システムにおいては、給電側の電気機器１では、電源供給回路１１で生成された直流電源電圧＋Ｂが、ＤＣ−ＤＣコンバータ１６により前述した直流電圧Ｅとされて、チョークコイル１４を通じて電線３ａに送出され、電気機器２の直流電力として伝送される。
【００５１】
被給電側の電気機器２では、ＤＣ−ＤＣコンバータ２１が、電気機器１から送られてくる直流電力の電圧Ｅを、電気機器２の電源電圧＋Ｂｓに変換して出力する。このＤＣ−ＤＣコンバータ２１からの電源電圧＋Ｂｓは、前述の例と同様に、負荷回路２２、送受信ロジック回路２３、信号処理部２４およびその他回路に供給される。
【００５２】
そして、電気機器１の信号処理部１３からの監視カメラの遠隔制御信号は、送信ロジック回路１７の送信アンプ１７２を通じてハイレベルおよびローレベルからなる２値信号として出力され、コンデンサ１５を通じて電線３ａに送出される。送信アンプ１７２の出力端は、信号を送出しない状態では、ハイインピーダンスに保持される。
【００５３】
この電気機器１からの２値信号は、電線３ａを通じて電気機器２に対して、直流電力に重畳されて伝送され、送受信ロジック回路２６の受信アンプ２６２に供給され、入力デジタルインターフェース回路で、２値信号に戻され、信号処理部２４に供給される。そして、図２の例においても説明したように、信号処理部２４では、この信号がデコード処理などの所定の信号処理がなされ、その信号処理後の信号は、負荷回路２２の例えばカメラ駆動制御回路に供給されて、遠隔制御信号により指示される処理内容に応じて、撮像カメラの撮像方位やズームなどの変更制御がなされる。
【００５４】
また、電気機器２の負荷回路２２としての監視カメラからの撮像画像信号は、信号処理部２４で所定の信号処理がなされた後、送信ロジック回路２６の送信アンプ２６２を通じてハイレベルおよびローレベルからなる２値信号として出力され、コンデンサ２５を通じて電線３ａに送出される。送信アンプ２６２の出力端は、信号を送出しない状態では、ハイインピーダンスに保持される。
【００５５】
この電気機器２からの２値信号は、電線３ａを通じて電気機器１に対して、直流電力に重畳されて伝送され、送受信ロジック回路１７の受信アンプ１７２に供給され、入力デジタルインターフェース回路で、２値信号に戻され、信号処理部１３に供給される。
【００５６】
そして、図２の例においても説明したように、信号処理部１３では、この信号がデコード処理などの所定の信号処理がなされ、その信号処理後の信号は、例えば表示制御部を通じてディスプレイに供給されて、当該ディスプレイ画面に監視カメラの撮像画像が再生されて表示されるようにされる。
【００５７】
以上説明したこの実施形態の通信システムにおいては、電気機器１から電気機器２に伝送される直流電力の電圧は、伝送する２値信号のハイレベルに対応する電圧ＶＨと、伝送する２値信号のローレベルに対応する電圧ＶＬの平均値、あるいは、受信信号を２値信号に戻すときのしきい値電圧に等しくされているので、図３（Ｂ）を用いて説明した図２の例と異なり、信号の受信側では、即座に２値信号に変換することが可能であり、効率のより信号伝送ができる。
【００５８】
また、信号送出が終了すると、送受信ロジック回路の信号送出出力端は、ハイインピーダンスとされると共に、コンデンサ１５およびコンデンサ２５に並列に抵抗値１８および２７が接続されているので、信号送出が終了した後、即座に電線３ａの電圧はＥに復帰する。このため、即座に、次の信号がバースト的に発生したとして、それに迅速に対応することができる。
【００５９】
また、上述した実施形態によれば、給電側および被給電方の両方の電気機器にＤＣ−ＤＣコンバータを設けたので、機器の電圧仕様に関わらず、電線３ａ，３ｂの電圧や電流を自由に設定することが容易になる。例えば、電圧を小さくして、電線３ａ，３ｂの絶縁層を薄くする、逆に電圧を大きくして電流を小さくして導体を細くするなどが可能となる。
【００６０】
また、この実施形態は、二本だけの電線で電源と通信を行なえる方式である。電線で直流電力を供給するものであるからＡＣ電源よりも低い電圧でよいため絶縁圧の薄いケーブル構造にできる。
【００６１】
［変形例およびその他の実施形態］
以上の実施の形態は、監視カメラと監視カメラ制御装置とを２本の電線で接続して、直流電力と信号を、その２本の電線を用いて伝送する場合について説明したが、給電側および被給電側の電気機器は、上述の実施形態の例に限られるものではない。
【００６２】
また、上述の実施形態では、被給電側の電気機器は、１台であったが、被給電側の電気機器は、電線３ａ，３ｂに対して複数台が接続される構成の通信システムにも、この発明は適用可能である。
【図面の簡単な説明】
【００６３】
【図１】この発明による通信システムの実施形態の構成例を示す図である。
【図２】この発明による通信システムの実施形態の比較例の構成を説明するための図である。
【図３】図２の比較例における動作を説明するために用いる図である。
【図４】この発明による通信システムの実施形態を説明するために用いる図である。
【符号の説明】
【００６４】
１…電気機器（給電側）、２…電気機器（被給電側）、３ａ，３ｂ…電線、１６、２１…ＤＣ−ＤＣコンバータ、１５，２５…コンデンサ、１８，２７…抵抗器、１７，２６…送受信ロジック回路
【図１】
2006352396.tif 000003
【図２】
2006352396.tif 000004
【図３】
2006352396.tif 000005
【図４】
2006352396.tif 000006